【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
熱絶縁材料の基層（８）と、この基層（８）に関して支持されている少なくともひとつの加熱エレメント（１２）と、熱絶縁材料の周囲壁（１６）と、前記少なくともひとつの加熱エレメント（１２）及び前記周囲壁（１６）を覆っている織物材料のカバーシート（２０）と、このカバーシート（２０）を覆っている多孔部材（２６）とを包含する放射電熱器（２）において、実質的に水分が浸透しない要素（２４）から成るスペーサ手段（２４；３２）が前記周囲壁（１６）と前記多孔部材（２６）との間に設けられていることを特徴とする放射電熱器。
【請求項２】
請求項１記載の放射電熱器において、前記多孔部材（２６）が金属、セラミック及び他の適当な耐火材料から選ばれた材料の多孔（２８）シートから成ることを特徴とする放射電熱器。
【請求項３】
請求項１記載の放射電熱器において、前記多孔部材（２６）が金属、セラミック及び他の適当な耐火材料から選ばれた材料の格子構造体（３０）から成ることを特徴とする放射電熱器。
【請求項４】
請求項１〜３のいずれか一項に記載の放射電熱器において、前記スペーサ手段（２４）が前記カバーシート（２０）と前記周囲壁（１６）との間に設けられていることを特徴とする放射電熱器。
【請求項５】
請求項１〜４のいずれか一項に記載の放射電熱器において、前記スペーサ手段（３２）が前記カバーシート（２０）と前記多孔部材（２６）との間に設けられていることを特徴とする放射電熱器。
【請求項６】
請求項１〜５のいずれか一項に記載の放射電熱器において、前記要素（２４）がセラミック材料から成ることを特徴とする放射電熱器。
【請求項７】
請求項１〜６のいずれか一項に記載の放射電熱器において、前記要素（２４）がリングの形であることを特徴とする放射電熱器。
【請求項８】
請求項１〜７のいずれか一項に記載の放射電熱器において、前記要素（２４）がシートの形であることを特徴とする放射電熱器。
【請求項９】
請求項１〜８のいずれか一項に記載の放射電熱器において、前記周囲壁（１６）が頂部（１８）を有することを特徴とする放射電熱器。
【請求項１０】
請求項１〜９のいずれか一項に記載の放射電熱器において、前記周囲壁（１６）が微孔性熱絶縁材料から成ることを特徴とする放射電熱器。
【請求項１１】
請求項１〜１０のいずれか一項に記載の放射電熱器において、前記基層（８）が微孔性熱絶縁材料から成ることを特徴とする放射電熱器。
【請求項１２】
請求項１〜１１のいずれか一項に記載の放射電熱器において、前記周囲壁（１６）が前記基層（８）と一体であることを特徴とする放射電熱器。
【請求項１３】
請求項１〜１２のいずれか一項に記載の放射電熱器において、前記基層（８）及び前記周囲壁（１６）が皿様支持体（６）に設けられていることを特徴とする放射電熱器。
【請求項１４】
請求項１３記載の放射電熱器において、前記皿様支持体（６）が金属から成ることを特徴とする放射電熱器。
【請求項１５】
請求項１〜１４のいずれか一項に記載の放射電熱器において、前記カバーシート（２０）の織物がガラスフィラメントから成ることを特徴とする放射電熱器。
【請求項１６】
請求項１〜１４のいずれか一項に記載の放射電熱器において、前記カバーシート（２０）の織物がセラミックフィラメントから成ることを特徴とする放射電熱器。
【請求項１７】
請求項１５又は１６記載の放射電熱器において、前記フィラメントが織物に織った、編んだ及びからみ合わせた形状から選ばれた形状であることを特徴とする放射電熱器。
【請求項１８】
請求項１〜１７のいずれか一項に記載の放射電熱器において、前記少なくともひとつの加熱エレメント（１２）がワイヤ、リボン、フォイル及びランプの形から選ばれた加熱エレメントから成ることを特徴とする放射電熱器。
【手続補正２】
【補正対象書類名】明細書
【補正対象項目名】全文
【補正方法】変更
【補正の内容】
【発明の詳細な説明】
【発明の名称】放射電熱器
【技術分野】
【０００１】
本発明は、ひとつ又はそれ以上の加熱エレメントが特に微孔性熱絶縁材料とすることができる熱絶縁材料の基部に関して支持されている型式の放射電熱器に関する。例えば、本発明はオーブン、特にマイクロ波オーブンのような調理器具に使用するための放射電熱器に関する。
【背景技術】
【０００２】
ＧＢ−Ａ−２  ３３１  ６８８には、次のような放射電熱器が記載されている。すなわち、この放射電熱器は、特に、グリル及び例えばマイクロ波オーブンのようなオーブンに適用でき、加熱エレメントが例えば微孔性熱絶縁材料のような熱絶縁材料の基部に関して支持されていると共に、前記基部が皿様支持体に設けられている。そして、熱絶縁材料の周囲壁が設けられ、この周囲壁は前記基部と一体にすることができる。
【０００３】
また、ガラス又はセラミックフィラメントから成る織物の形のカバーシートが周囲壁に接触して加熱エレメントを覆っていると共に、例えば金属の多孔シートがカバーシートを覆って設けられてカバーシートに接触している。
【０００４】
カバーシートは、例えば食品の調理中に放出されてはね飛ばされた食品粒子のような粒子が電熱器に入って加熱エレメント及び／又は基層を汚染するのを防止する役目を果たす。
【０００５】
カバーシートは、また、特に、電熱器がオーブン又はグリルの頂部壁に取り付けられているときに、電熱器内の基層の熱絶縁材料のばらけた粒子が調理室内に落ちてオーブン内の食品を汚染するのを防止する役目を果たす。
【０００６】
例えば金属の多孔シートは、例えば電熱器を組み込んでいる器具の掃除中に、カバーシート及び電熱器の内部部品に機械的損傷を与える危険を最少にする。金属のとき、多孔シートは、また、電熱器がマイクロ波オーブンに取り付けられているときのマイクロ波放射遮蔽体としての役目を果たす。
【０００７】
以上述べた電熱器は、特にマイクロ波オーブン又は対流加熱を含むオーブンにグリル電熱器として設けられたときに、問題が発生する。実際に、このようなオーブンに設けられているグリル電熱器はたまに使用されるものである。
【０００８】
そして、マイクロ波又は対流加熱がグリル電熱器の同時作動でなしに用いられたときには、比較的冷たいグリル電熱器が調理されている食品から発生する水蒸気にさらされる。このような水蒸気は、グリル電熱器を覆っている例えば金属多孔シートを通過し、この多孔シートの内面上で凝縮する。多孔シートはガラス又はセラミックのフィラメントから成る織物のカバーシートに接触し、それからカバーシートは熱絶縁材料の周囲壁に接触している。
【０００９】
したがって、多孔シート上で凝縮する水蒸気は織物のカバーシートにより熱絶縁材料の周囲壁へ導かれる。そして、特に、周囲壁が微孔性熱絶縁材料から成るときには、水分がこの微孔性熱絶縁材料中に吸収されることにより、絶縁材料の構造に永久的な損傷を与えることとなる。これは、絶縁材料の構造に損傷を与えることのない水蒸気に絶縁材料がさらされることとは著しく異なっている。
【発明の開示】
【発明が解決しようとする課題】
【００１０】
本発明の目的は、この問題を除去又は最少にすることにある。
【課題を解決するための手段】
【００１１】
本発明によれば、熱絶縁材料の基層と、この基層に関して支持されている少なくともひとつの加熱エレメントと、熱絶縁材料の周囲壁と、前記少なくともひとつの加熱エレメント及び前記周囲壁を覆っている織物材料のカバーシートと、このカバーシートを覆っている多孔部材とを包含する放射電熱器において、実質的に水分が浸透しない要素から成るスペーサ手段が前記周囲壁と前記多孔部材との間に設けられていることを特徴とする放射電熱器が提供される。
【００１２】
前記多孔部材は金属、セラミック及び他の適当な耐火材料の多孔シート又は格子構造体から成ることができる。
【００１３】
前記スペーサ手段は、前記カバーシートと前記周囲壁との間及び／又は前記カバーシートと前記多孔部材との間に設けることができる。
【００１４】
実質的に水分が浸透しない前記要素は、例えばセラミック材料から成ることができる。このような要素は、リング又はシートの形とすることができる。
【００１５】
前記周囲壁は、頂部を有することができる。
【００１６】
前記周囲壁及び選択的には前記基層は、微孔性熱絶縁材料から成ることができる。
【００１７】
前記周囲壁は、前記基層と一体にして設けることができる。
【００１８】
前記基層及び前記周囲壁は、例えば金属の皿様支持体に設けることができる。
【００１９】
前記カバーシートの織物は、ガラス及び／又はセラミックフィラメントから成ることができる。このガラス及び／又はセラミックフィラメントは、織物に織った又は編んだ若しくはからみ合わせた形状とすることができる。
【００２０】
前記少なくともひとつの加熱エレメントはワイヤ、リボン、フォイル又はランプの形のひとつ又はそれ以上の加熱エレメントとすることができる。
【００２１】
本発明は、また、上述した放射電熱器を設けているオーブンを提供する。
【００２２】
前記スペーサ手段を設けた結果として、前記多孔部材に接触して来る水分が前記電熱器の周囲壁に伝ってこの周囲壁により吸収されることは防止される。これにより、水分吸収によって前記周囲壁の例えば微孔性熱絶縁材料の材料に与える損傷は防止される。なお、このような水分は、放射電熱器が不作動状態であるオーブンにおいて、食品が例えばマイクロ波放射又は対流加熱のような他の方法によって加熱されることにより発生した水蒸気が前記多孔部材上で凝縮することにより生じるものである。
【発明を実施するための最良の形態】
【００２３】
本発明を良く理解し、また本発明が実際にどのようにして実施されるかを一層明確に示すために、以下添付図面を参照して本発明の実施例について詳述する。
【００２４】
図面を参照するに、例えばマイクロ波オーブンのようなオーブン４の壁に取り付けられている放射電熱器２は金属製の皿様支持体６を包含し、この支持体６は圧縮した微孔性の熱及び電気絶縁材料の基層８を備えている。図２に示されるように、皿様支持体６にはアーチ形の複数のくぼみ区域１０が形成され、これらのくぼみ区域１０は基層８の材料をアーチ部分に係合せしめて基層８を皿様支持体６に固定するのを助けるようにする。
【００２５】
加熱エレメント１２は、基層８に固定されて設けられている。図示するように、加熱エレメント１２は基層８の上にその縁に沿って取り付けられている波形の金属リボンから成る。このような加熱エレメントは、当業者によく知られているものである。加熱エレメントは、しかし、コイル状ワイヤの形、又は他のリボンの形、又はフォイルの形、又はランプの形、又は当業者に知られている任意の他の適当な形に代えることができるものである。また、ひとつ以上の加熱エレメント、又はひとつ以上の形の加熱エレメントを電熱器に設けることもできる。
【００２６】
また、加熱エレメント１２用の端子ブロック１４が電熱器に取り付けられ、電熱器の作動用の電圧供給源に接続できるようにしている。
【００２７】
更に、微孔性熱絶縁材料の周囲壁１６が電熱器に設けられて、頂部１８を有している。図示するように、この周囲壁１６は基層８と一体にされている。しかしながら、この分野でよく知られているように、周囲壁は独立する部材として設けることもできる。
【００２８】
そして、ガラス及び／又はセラミックのフィラメントから成る織物（ファブリック）のカバーシート２０が、周囲壁１６の頂部１８を含めて電熱器を覆って設けられていると共に、加熱エレメント１２から間隔を置いている。このようなカバーシート２０は金属製の皿様支持体６に適当に取り付けられ、カバーシート２０は周囲壁１６の頂部１８には直接に接触しない。
【００２９】
カバーシート２０が周囲壁１６の頂部１８に直接に接触しないことを保証するために、スペーサ手段が設けられている。このようなスペーサ手段は、カバーシート２０と周囲壁１６の頂部１８との間に設けられたエアギャップ２２から成ることもできるが、本発明によれば、カバーシート２０と周囲壁１６の頂部１８との間に設けられ、例えばセラミック材料であって適当には平らなリング又はシートの形の実質的に水分が浸透しない又は実質的に水分を吸収しない要素２４から成る。なお、図２には要素２４の一部分のみを示している。
【００３０】
カバーシート２０は、適当には、織物を形成するように織った（ウーブン）又は編んだ（ニット）若しくはからみ合わせた（マット）ガラス及び／又はセラミックのフィラメントから成る。
【００３１】
カバーシート２０のための適当な材料は、ＧＢ−Ａ−２  ３３１  ６８８に記載されている。
【００３２】
カバーシート２０の織物は、Ｅガラス、Ｃガラス、Ｒガラス、Ｓガラス又はその変形物から成ることができる。例えば、Ｅガラスの酸化ホウ素を酸化マグネシウムに代えることができ、このようなガラスはＯＣＦコーポレイションから登録商標Ａｄｖａｎｔｅｘの製品名で商業的に入手することができる。
【００３３】
選択的に、カバーシート２０は、アルミノケイ酸塩フィラメント又はアルミノホウケイ酸塩フィラメントの織物、又はジルコニアクロスから成ることができる。
【００３４】
一般に、カバーシート２０の単位面積当りの重量は、１平方メートル当り１キログラムよりも少なく、典型的には、１平方メートル当り５０グラムから３００グラムの範囲である。
【００３５】
カバーシート２０は、少なくとも一部分が半透明であるものとされ、この部分を通して加熱エレメント１２からの可視赤外線が透過するのを許す。
【００３６】
カバーシート２０は、オーブン４内での食品の加熱中にはね飛ばされた食品粒子が電熱器２に入るのを防止する役目を果たす。カバーシート２０は、また、基層８のばらけた熱絶縁材料がオーブン４内に落ちてオーブン内で調理される食品が汚染されるのを防止する役目を果たす。これは、特に、電熱器２がオーブン４の頂部壁に取り付けられているときに適切である。
【００３７】
多孔シート２６が、カバーシート２０を覆うようにして設けられている。このような多孔シートは、ひとつ以上の目的に役立つものである。すなわち、多孔シートはカバーシート２０のための保護を提供し、また、例えばオーブン４の内部を掃除するとき又はオーブン内の調理器具を用いるときに、電熱器２の内部部品に人の手が接触する危険を最少にする。多孔シート２６は、最適には金属から成るが、しかしセラミック又は他の任意適当な多孔性耐火材料から成ることもできる。金属のときには、多孔シート２６は、例えばオーブン４がマイクロ波オーブンであるときに発生するマイクロ波放射に関して電気遮蔽体を提供するために用いることができる。
【００３８】
多孔シート２６は金属又はセラミックのシートに形成された多数の孔２８を包含することができる。又は、多孔シ−トは拡張金網（エキスパンデッドメタル）形状３０、若しくは他の適当な格子形状とすることができる。
【００３９】
オーブン４は、電熱器２に加えて、他の加熱手段（図示せず）を包含することができる。このような他の加熱手段は、マイクロ波放射加熱手段又は対流加熱手段から成ることができる。これら他の加熱手段のひとつが、電熱器２を作動させることなしに、単独で作動させられたときには、カバーシート２０及び多孔シート２６は、オーブン４内の食品が加熱されている間、比較的冷たいままである。そして、例えば蒸気の形の水蒸気が、食品から発生し、多孔シート２６の比較的冷たい表面上で凝縮する。水蒸気は、また、多孔シート２６の孔を通過し、多孔シートの内面上で凝縮する。
【００４０】
もし多孔シート２６が織物材料のカバーシート２０に接触している場合には、発生した水分はカバーシート２０に沿って及びこれを通して迅速に流れる。そして、もしカバーシート２０が微孔性熱絶縁材料の周囲壁１６の頂部に接触して配置されている場合には、水分はカバーシート２０から周囲壁１６の微孔性絶縁材料によって吸収されるであろう。このようにして吸収された水分は、周囲壁１６の微孔性絶縁材料の構造に永久的な損傷を生じせしめる。しかしながら、本発明にしたがって、例えばセラミックの平らなリング又はシートの形の実質的に水分が浸透しない又は実質的に水分を吸収しない要素２４から成るスペーサ手段を設けることにより、水分がカバーシート２０から周囲壁１６へ伝わることを防止する。
【００４１】
本発明の他の実施例において、実質的に水分が浸透しない要素２４から成るスペーサ手段を多孔シート２６と周囲壁１６の頂部１８との間に設ける代わりに、又はこのスペーサ手段に加えて、他のスペーサ手段３２が多孔シート２６とカバーシート２０との間に設けられている。このようなスペーサ手段も、エアギャップから成ることもできるが、本発明によれば、例えばセラミックであって適当には平らなリング又はシートの形の実質的に水分が浸透しない又は実質的に水分を吸収しない要素から成る。このようなスペーサ手段３２は、多孔シート２６とカバーシート２０との間の接触、及びそれ故水分の移動を防止する。この配置によれば、カバーシート２０を周囲壁１６の頂部に接触させることができる。
【図面の簡単な説明】
【００４２】
【図１】本発明による放射電熱器の一実施例の平面図である。
【図２】オーブンに取り付けられている図１の電熱器の断面図である。
【手続補正３】
【補正対象書類名】図面
【補正対象項目名】図１
【補正方法】変更
【補正の内容】
【図１】
2004523877.tif 000001